(57)【要約】      （修正有）【課題】ユーザが接触操作を行いやすくすることを第１のねらいとし、かつ視認した際にも瞬時に意匠部（表示箇所）を容易に識別できることを第２のねらいとしたタッチパネル入力操作装置を提供する。【解決手段】入力操作を行う被検出体が接触する操作面を有し、その操作面と接触した位置を検出するための静電容量方式による複数の電極部を配置してなるタッチパネル部材１１０と、タッチパネル部材１１０の操作面には、凹凸部による立体形状部１１１Ｄを有してなるタッチパネル入力操作装置において、立体形状部１１１Ｄは、タッチパネル部材１１０の成形時における絞り加工によって形成された第１の立体形状部１１１Ｄ１と、タッチパネル部材１１０の表面に印刷による手段によって形成されたＵＶインクｐ１による第２の立体形状部１１１Ｄ２と、からなる。【選択図】図３
2014229014.tif 000002
【特許請求の範囲】
【請求項１】
入力操作を行う被検出体が接触する操作面を有し、その操作面と接触した位置を検出するための静電容量方式による複数の電極部を配置してなるタッチパネル部材と、前記タッチパネル部材の前記操作面には、凹凸部による立体形状部を有してなるタッチパネル入力操作装置において、
前記立体形状部は、前記タッチパネル部材の成形時における絞り加工によって形成された第１の立体形状部と、前記タッチパネル部材の表面に印刷による手段によって形成されたＵＶインクからなる第２の立体形状部と、からなることを特徴とするタッチパネル入力操作装置。
【請求項２】
前記第１の立体形状部および前記第２の立体形状部の表面には、操作指標となる意匠部による塗膜層あるいは前記意匠部の領域を除く地色部による塗膜層を設けてなることを特徴とする請求項１におけるタッチパネル入力操作装置。
【請求項３】
前記第２の立体形状部は、単一もしくは複数のラインにて突出して形成されていることを特徴とする請求項１または請求項２に記載のタッチパネル入力操作装置。
【請求項４】
入力操作を行う被検出体が接触する操作面を有し、その操作面と接触した位置を検出するための静電容量方式による複数の透過性の電極部を配置してなる透過性材料からなるタッチパネル部材と、前記タッチパネル部材の背後に配設された導光部材と、前記導光部材に光を導き入れる光源と、を備え、前記タッチパネル部材の前記操作面には、操作指標となる透過性の意匠部と、前記意匠部の領域を除く領域に不透過性の地色部とが設けられるとともに、凹凸部による立体形状部とを有してなるタッチパネル入力操作装置において、
前記立体形状部は、前記タッチパネル部材の成形時における絞り加工によって形成された第１の立体形状部と、前記タッチパネル部材の表面に印刷による手段によって形成された透過性のＵＶインクからなる第２の立体形状部と、からなることを特徴とするタッチパネル入力操作装置。
【請求項５】
前記第１の立体形状部および前記第２の立体形状部の表面には、前記意匠部による塗膜層あるいは前記意匠部の領域を除く前記地色部による塗膜層を積層して設けてなることを特徴とする請求項４におけるタッチパネル入力操作装置。
【請求項６】
前記第２の立体形状部は、単一もしくは複数のラインにて突出して形成されていることを特徴とする請求項４または請求項５に記載のタッチパネル入力操作装置。
【発明の詳細な説明】
【技術分野】
【０００１】
本発明は、タッチパネル入力操作装置に関するものである。
【背景技術】
【０００２】
従来の車両用のタッチパネル入力操作装置として、例えば、特許文献１に開示されるものがある。この車両用のタッチパネル入力操作装置は、ユーザからのタッチ操作を受け付けるタッチパッドを備える入力装置を車両のステアリングホイールに設け、前記タッチ操作に応じて、例えばカーナビゲーション装置をスクロール表示する操作や、オーディオ装置の音量の設定や選曲などを一覧から選択表示するなどの車載電子機器を操作する車両用タッチパネル入力操作装置が開示されている。
【０００３】
ところで、特許文献１記載の車両用のタッチパネル入力操作装置に用いられているタッチパッドに関して、夜間照明用の光源を設けていなかったため、夜間などの暗所下での利用の際にタッチエリアを照らしだすことができず、タッチエリアの表示部箇所を目視で認識することができない場合があり、誤入力してしまうという問題点があった。
このような問題点を解決するものとして、本願出願人は特許文献２にて提案している。このタッチパネル入力操作装置としては、タッチパネルシート上での操作指標となる凹部や凸部の形状からなる隆起部（段差部）〈立体形状部〉によって、操作パネルまたはタッチパネルシート上での操作部の位置を明確化させ、タッチ操作に対する操作性の向上を図るようにしている。また、凹凸による隆起部（段差部）〈立体形状部〉によってブラインドタッチ操作（アイズフリー操作）を行いやすくするとともに、夜間などの暗所下において、タッチパネルシートを透明または半透明で光が透過可能に形成するとともに、パネルシートの意匠の一部が光を透過可能となるように透過性を有するインクなどによって印刷や塗装により施している。
【先行技術文献】
【特許文献】
【０００４】
【特許文献１】特開２００９ー２９８２８５号公報
【特許文献２】特開２０１２ー１９０４０６号公報
【発明の概要】
【発明が解決しようとする課題】
【０００５】
ところで、特許文献２などに記載の静電容量方式タッチパネルシートの電極として、一般的にはタッチパネルやパネルシートを透過照明するために、例えばＩＴＯ（酸化インジウムスズ）などの透明電極を用いる方法がある。しかし、ＩＴＯによる透明導電層は、ＩＴＯ自体柔軟性の弱い性質があり、タッチパネルシートを凸状または凹状に形成する場合、通常、圧空成形や真空成形などの方法を用いて成形している。その際、透明電極は柔軟性が低いために、断線したりすることがあるため、タッチパネルシートとして機能しなくなる現象が発生することがある。それ故、凸状や凹状などを成形する際にあっては、比較的に平坦状で局部的に折れ曲がることがないように設定する必要がある。このため、デザイン的においても凹凸による見映えのする操作部の位置の明確化が不十分となり、凹凸による隆起部（段差部）〈立体形状部〉のシャープさに欠け、結果として操作性の低下に繋がってしまうという虞があった。
【０００６】
そこで、本発明は、上述した課題に着目してなされたものであり、その目的とするところは、ユーザが接触操作を行いやすくすることを第１のねらいとし、かつ視認した際にも瞬時に意匠部（表示箇所）を容易に識別できることを第２のねらいとしたタッチパネル入力操作装置を提供することにある。
【課題を解決するための手段】
【０００７】
本発明は前述した課題を解決するため、請求項１では、入力操作を行う被検出体が接触する操作面を有し、その操作面と接触した位置を検出するための静電容量方式による複数の電極部を配置してなるタッチパネル部材と、前記タッチパネル部材の前記操作面には、凹凸部による立体形状部とを有してなるタッチパネル入力操作装置において、前記立体形状部は、前記タッチパネル部材の成形時における絞り加工によって形成された第１の立体形状部と、前記タッチパネル部材の表面に印刷による手段によって形成されたＵＶインクからなる第２の立体形状部と、からなることを特徴とするタッチパネル入力操作装置である。このように構成することにより、成形によって形成された比較的に段差の奥行きがある第１の立体形状部によりパネル全体の接触領域を判別することができるとともに、タッチパネルの表面に形成された比較的に微細な凸部からなるＵＶインクによる第２の立体形状部によって第１の立体形状部による感触とは異なることでユーザが自らどのように操作面の表面をなぞっているかを識別することができる。
【０００８】
また請求項２では、請求項１に記載のタッチパネル入力操作装置において、前記第１の立体形状部および前記第２の立体形状部の表面には、操作指標となる意匠部による塗膜層あるいは前記意匠部の領域を除く地色部による塗膜層を積層して設けてなることを特徴とするものである。このように構成することにより、立体形状部の表面を含むタッチパネル部材全体の表面の段差を感覚的に捉えることができるとともに、各塗膜層による種類などに応じて表面の粗さ度合いが異なるため、ユーザの指先による接触操作にて感触の違いを判別することが可能となるため、タッチ操作を正確に行いやすくすることが可能となる。また、タッチパネル部材に設けられた操作指標となる意匠部の表示部箇所を目視で認識することができるため、接触操作とともにタッチパネル部材の入力を良好に行うことができる。
【０００９】
また請求項３では、請求項１または請求項２に記載のタッチパネル入力操作装置において、前記第２の立体形状部は、単一もしくは複数のラインにて突出して形成されていることを特徴とするものである。このように構成することにより、ラインの形状になぞった場合と、またぐようになぞった場合とで明確に感触を変えることができる。
【００１０】
また請求項４では、入力操作を行う被検出体が接触する操作面を有し、その操作面と接触した位置を検出するための静電容量方式による複数の透過性の電極部を配置してなる透過性材料からなるタッチパネル部材と、前記タッチパネル部材の背後に配設された導光部材と、前記導光部材に光を導き入れる光源と、を備え、前記タッチパネル部材の前記操作面には、操作指標となる透過性の意匠部と、前記意匠部の領域を除く領域に不透過性の地色部とが設けられるとともに、凹凸部による立体形状部とを有してなるタッチパネル入力操作装置において、前記立体形状部は、前記タッチパネル部材の成形時における絞り加工によって形成された第１の立体形状部と、前記タッチパネル部材の表面に印刷による手段によって形成された透過性のＵＶインクからなる第２の立体形状部と、からなることを特徴とするタッチパネル入力操作装置である。このように構成することにより、成形によって形成された比較的に段差の奥行きがある第１の立体形状部によりパネル全体の接触領域を判別することができるとともに、タッチパネルの表面に形成された比較的に微細な凸部からなるＵＶインクによる第２の立体形状部によって第１の立体形状部による感触とは異なることでユーザが自らどのように操作面の表面をなぞっているかを識別することができる。また、タッチパネル部材に設けられた操作意匠となる意匠部の表示部箇所を目視で認識することができるため、接触操作とともにタッチパネル部材の入力を良好に行うことができるものであり、この際、透過性の意匠部として形成することにより、夜間などの暗所下において、意匠部が光源からの光線によって透過照明されるため、瞬時に意匠部箇所を認識判別することができる。
【００１１】
また請求項５では、請求項２に記載のタッチパネル入力操作装置において、前記第１の立体形状部および前記第２の立体形状部の表面には、前記意匠部による塗膜層あるいは前記地色部による塗膜層を積層して設けてなることを特徴とするものである。このように構成することにより、立体形状部の表面を含むタッチパネル部材全体の表面の段差を感覚的に捉えることができるとともに、各塗膜層による種類などに応じて表面の粗さ度合いが異なるため、ユーザの指先による接触操作にて感触の違いを判別することが可能となるため、タッチ操作を正確に行いやすくすることが可能となる。
【００１２】
また請求項６では、請求項４または請求項５に記載のタッチパネル入力操作装置において、前記第２の立体形状部は、単一もしくは複数のラインにて突出して形成されていることを特徴とするものである。このように構成することにより、ラインの形状になぞった場合と、またぐようになぞった場合とで明確に感触を変えることができる。
【発明の効果】
【００１３】
本発明では、入力操作を行う被検出体が接触する操作面を有し、その操作面と接触した位置を検出するための静電容量方式による複数の電極部を配置してなるタッチパネル部材と、前記タッチパネル部材の前記操作面には、凹凸部による立体形状部とを有してなるタッチパネル入力操作装置において、前記操作面の表面側に形成される前記立体形状部は、前記タッチパネル部材の成形時における絞り加工によって形成された第１の立体形状部と、前記タッチパネル部材の表面に印刷による手段によって形成されたＵＶインクからなる第２の立体形状部と、からなることを特徴とするタッチパネル入力操作装置である。このように構成することにより、成形によって形成された比較的に段差の奥行きがある第１の立体形状部によりパネル全体の接触領域を判別することができるとともに、タッチパネルの表面に形成された比較的に微細な凸部からなるＵＶインクによる第２の立体形状部によって第１の立体形状部による感触とは異なることでユーザが自らどのように操作面の表面をなぞっているかを識別することができる。
【図面の簡単な説明】
【００１４】
【図１】本発明の第１の実施形態に係るタッチパネル入力操作装置を含むシステムの構成図である。
【図２】タッチパネル入力操作装置が搭載される自動車の車両内の運転席側付近の概要図である。
【図３】図３は、タッチパネル入力操作装置の構成を示す分解斜視図である。
【図４】図４は、タッチパネル入力操作装置を車両のステアリングホイールのグリップ部箇所に設けてなる第１の実施形態における要部の組み付け断面図である。
【図５】図５は、タッチパネル入力操作装置の接触操作部であるタッチパネル部材を示す平面図である。
【図６】図６は、図５のＡ−Ａ線箇所の断面を示すものでタッチパネル部材の一部を部分拡大した要部を示す断面図である。
【図７】図７は、図５のタッチパネル部材の前面側に設けられる塗膜（意匠部）を施す前の状態を示す平面図である。
【図８】図８は、タッチパネル入力操作装置におけるタッチパネル部材の左側箇所を押圧操作した状態を示す断面図である。
【図９】図９は、タッチパネル入力操作装置におけるタッチパネル部材の中央部箇所を押圧操作した状態を示す断面図である。
【図１０】図１０は、タッチパネル部材におけるジェスチャー操作と、それに応じて実行される車載電子機器の動作の一例を示した図である。
【図１１】図１１は、タッチパネル部材におけるジェスチャー操作と、それに応じて実行される車載電子機器の動作の一例を示した図である。
【図１２】図１２は、タッチパネル部材におけるジェスチャー操作と、それに応じて実行される車載電子機器の動作の一例を示した図である。
【図１３】図１３は、タッチパネル部材におけるジェスチャー操作と、それに応じて実行される車載電子機器の動作の一例を示した図である。
【図１４】図１４は、タッチパネル部材におけるジェスチャー操作と、それに応じて実行される車載電子機器の動作の一例を示した図である。
【発明を実施するための最良の形態】
【００１５】
以下本発明の実施形態に係る入力操作装置を、添付図面に基づいて説明する。
【００１６】
第１の実施形態に係るタッチパネル入力操作装置としては、図１に示すように、自動車などの車両に搭載される入力操作装置１００である。車両１のユーザ（通常、運転者）が、入力操作装置１００を操作すると、制御装置１０００は、その操作に応じた各種動作を車載電子機器２０に実行させる。
【００１７】
（車両１の構成）
車両１は、図２に示すように、ステアリング１０と、車載電子機器２０と、を備えている。
【００１８】
ステアリング１０は、車両１の操舵装置の一部であり、本体部１１と、ステアリングホイール１２と、を備えている。
【００１９】
本体部１１は、車両１の図示しないステアリングシャフトと接続されるスポーク部であり、右側に入力操作装置１００を備える。また、本体部１１には、入力操作装置１００の形状にあわせた取付孔（図示せず）が形成されている。取付孔に入力操作装置１００が取り付けられることにより、入力操作装置１００の後述する操作面のみが露出する。
【００２０】
ステアリングホイール１２は、本体部１１に取り付けられ、運転者が車両１を操舵する際に握るリング形状のハンドルのグリップ部材である。
【００２１】
車載電子機器２０は、オーディオ装置、カーナビゲーション装置等であり、後述する制御部２００と電気的に接続され、制御部２００から受信した制御信号に従って動作する。
また、車載電子機器２０は、その表示部２１の動作に対応した画像を表示する。
【００２２】
（制御装置１０００の構成）
制御装置１０００は、入力操作装置１００と、制御部２００と、記憶部３００と、を備える。
【００２３】
入力操作装置１００は、図３に示すように、タッチパネル部材１１０と、タッチパネル部材１１０の上側を保持しタッチパネル部材１１０操作面を開放する開口部１２１を有する上側ホルダー１２０と、タッチパネル部材１１０の背後に配置され、タッチパネル部材１１０の下側を保持する導光部材からなる下側ホルダー１３０と、下側ホルダー１３０の背後に配置されるケース体１４０と、導光部材からなる下側ホルダー１３０に光を導き入れる光源１５０と、下側ホルダー１３０とケース体１４０との間に配置され、タッチパネル部材１１０の操作面の押圧作動に伴って応動作動し、後述するタッチセンサの入力を確定する押圧信号を出力する押圧スイッチ１６０と、押圧スイッチ１６０と光源１５０を実装する回路基板１７０と、下側ホルダー１３０とケース体１４０との間において押圧スイッチ１６０と下側ホルダー１３０との間隔を所定の寸法に保つための弾性部材１８０と、ケース体１４０に対して下側ホルダー１３０が接近離反するためのストロークを設定するためのストローク設定部１９０と、を備えている。
【００２４】
ところでタッチパネル部材１１０は、ユーザが、親指等でその操作面上を所定の軌跡を描くようになぞる操作（以下、ジェスチャー操作と言う）を行った際に、後述する制御部２００の制御のもと、親指などが操作面に触れた位置を検出するタッチパッド装置であり、表面カバーとなる透過性の材料からなる第１のシート状部材１１１と、親指などの被検出体が操作面と接触した位置を検出するためのセンサが設けられた透過性の材料からなる第２のシート状部材１１２と、を積層して一体化して設けられており、親指によるなぞる操作の際に、アイズフリー操作（ブラインドタッチ操作）を行いやすくするために凹凸による立体形状部１１１Ｄを設けている。
【００２５】
また本実施形態におけるタッチパネル部材１１０には、各シート状部材１１１，１１２の背後に保護用としての透明な樹脂材料からなるスペーサ１１３が配置されるとともに、本実施形態においてはスペーサ１１３の背後、すなわち、タッチパネル部材１１０と下側ホルダー１３０との間に拡散シート１１４が配設されている。
【００２６】
この場合、スペーサ１１３は、第２のシート状部材１１２の裏面側に位置し、一体成形された第１のシート状部材１１１と第２のシート状部材１１２からなるタッチパネル部材１１０の形状に合わせて形成され、ユーザ操作によりタッチパネル部材１１０の表側から押圧が加わった際にこれらの形状を保持する部材である。なお、タッチパネル部材１１０の強度が充分であればスペーサ１１３を配置しない場合もある。
【００２７】
入力操作装置１００に設けられたタッチパネル部材１１０の一部を構成する表面カバーである第１のシート状部材１１１は、アクリル樹脂等の透過性を有する絶縁材料からシート状部材によって形成され、ジェスチャー操作が行われる際に、ユーザの指などが触れる操作面を有する。
【００２８】
また第１の実施形態における第１のシート状部材１１１の操作面は、凹凸を有し、これによってこの操作面には段差が形成されている。このような操作面は、平面部１１１ａ、隆起部１１１ｂ、窪み部１１１ｃとからなる凹凸部による第１の立体形状部１１１Ｄ１が構成されている。
【００２９】
また本実施形態における第２のシート状部材１１２は、第１のシート状部材１１１ととともに圧空成形などによる絞り加工により一体成形されることでタッチパネル部材１１０が形成されるものであり、この圧空成形などの絞り加工時において前述した立体形状部１１１Ｄの一つである第１の立体形状部１１１Ｄ１が成形される。
【００３０】
このように一体成形されることで、第１のシート状部材１１１と第２のシート状部材１１２とがタッチパネル部材１１０として、一枚のシート状となり、操作面が有する隆起部１１１ｂ、窪み部１１１ｃ等の段差形状は、その一枚のシートの曲がった部分で構成されることになる。
【００３１】
タッチパネル部材１１０の平面部１１１ａは、表面カバーである第１のシート状部材１１１の平面状の部分である。
【００３２】
隆起部１１１ｂは、平面部１１１ａから表側方向に盛り上がるように隆起する部分である。この際、操作面には、その操作面の操作指標となる輪郭部を形成する凹凸からなる隆起部１１１ｂとして形成されている。表側から見れば、円弧状に形成された隆起部１１１ｂが、円を略囲むように、所定の間隔をおいて複数配置されていることがわかる。なお、「表側」とは、図３で示すように、入力操作装置１００に対して図中上側をいい、「裏側」とは、その反対側をいうものとする。
【００３３】
窪み部１１１ｃは、操作面の略中央に位置し、平面部１１１ａから裏側方向に沈むように窪んだ部分であり、円状に配置された隆起部１１１ｂよりも内側に形成されている。
【００３４】
平面部１１１ａと隆起部１１１ｂと窪み部１１１ｃとは、ユーザのジェスチャー操作を妨げることがないように、その断面形状は、互いになめらかに繋がって第１の立体形状部１１１Ｄ１として形成されている。
【００３５】
また本実施形態では、第１のシート状部材１１１が平坦状の未成形の状態において、その第１のシート状部材１１１の操作面の一部を構成する窪み部１１１ｃ領域に対応する箇所に、印刷による手段によって透過性のＵＶインクｐ１からなる第２の立体形状部１１１Ｄ２が形成される。
【００３６】
第２の立体形状部１１１Ｄ２は、窪み部１１１ｃ領域において透過性のＵＶインクｐ１を水平方向に沿って微細な複数のライン状に突出するように形成している。本実施形態における第２の立体形状部１１１Ｄ２は７本のラインによって形成されており、高さ７５μｍ、ライン幅０．４ｍｍ、ラインピッチ３ｍｍである。このように微細な凸部であるため、前述したような第１の立体形状部１１１Ｄ１のようにタッチパネル部材１１０を絞り加工により成形した場合、微細な凹凸（凸部）からなる段差を絞り加工による成形によって形成することが困難であったが、粘性の高い性質のＵＶインクｐ１を用いることによって印刷にて簡単に形成することができ、しかも形状なども任意に設定することができる。
【００３７】
また本実施形態において、タッチパネル部材１１０の表面側の操作面には、第１の立体形状部１１１Ｄ１および第２の立体形状部１１１Ｄ２とからなる立体形状部１１１Ｄが形成され、その表面に、例えば白色などの透過性を有するインクｐ２からなる表示色層（塗膜層）が透過意匠部Ｄ１として施されるとともに、その表示色層（塗膜層）による透過意匠部Ｄ１の領域を除くタッチパネル部材１１０の表面側には、例えば黒色系の遮光性のインクｐ３からなる地色部が不透過意匠部Ｄ２として施される。
【００３８】
この場合、本実施形態では、透過意匠部Ｄ１と不透過意匠部Ｄ２とからなる塗膜層による全体の意匠部Ｄは塗装にて第１のシート状部材１１１の操作面の表面側に塗布して形成されおり、第１の立体形状部１１１Ｄ１の一部を構成する隆起部１１１ｂ箇所に位置した地色層（不透過意匠部Ｄ２）箇所および隆起部１１１ｂ箇所と隣接した窪み部１１１ｃ箇所と、この窪み部１１１ｃ箇所に形成された第２の立体形状部１１１Ｄ２箇所に位置した地色層（不透過意匠部Ｄ２）箇所とを部分的にレーザ加工などの手段にて除去することにより、表示色層が露出され透過意匠部Ｄ１が形成される。（本実施形態においては、矢印形状からなる透過意匠部Ｄ１として窪み部１１１ｃ箇所およびＵＶインクｐ１による第２の立体形状部１１１Ｄ２箇所に４箇所形成している。）
【００３９】
また第２のシート状部材１１２は、指等の被検出体の位置を検出するための複数の電極部Ｐ１，Ｐ２からなるタッチセンサ部１１２０を有する透過性のシート部材であり、表面カバーである第１のシート状部材１１１の裏面側に位置するように設けられている。（図７参照）
【００４０】
第２のシート状部材１１２には、Ｘ軸方向（横方向）における被検出体の位置を検出するための複数の電極部Ｐ１からなる第１のセンサ列１１２０ａを有する層と、Ｙ軸方向（縦方向）における被検出体の位置を検出するための複数の電極部Ｐ２からなる第２のセンサ列１１２０ｂを有する層を重ね合わせ概略構成されている。第１のセンサ列１１２０ａと第２のセンサ列１１２０ｂが合わさることにより、結果的に、第２のシート状部材１１２には、Ｘ軸方向の複数の電極部Ｐ１とＹ軸方向の複数の電極部Ｐ２とがマトリックス状に配置されることになるため、シート状部材からなるタッチパネル部材１１０の形状としては矩形状に形成されている。
【００４１】
タッチパネル部材１１０に設けられる各々のセンサ列１１２０ａ，１１２０ｂの端部側には、そのＸ軸方向のセンサ列１１２０ａの端部側に位置した電極部Ｐ１箇所には導電性の端子部Ｔａを介してそれぞれの引き出し線ｗ１が引き出し配設され、Ｙ軸方向のセンサ列１１２０ｂの端部側に位置した電極部Ｐ２箇所には、導電性の端子部Ｔｂを介してそれぞれ引き出し線ｗ２が引き出し配設され、この各引き出し線ｗ１，ｗ２は絶縁性材料からなるフレキシブルなシートに被覆されて電気的に引き回し配線されており、この引き出し案内されたフレキシブルなシートの端部をコネクタを介して回路基板へと接続し、さらに回路基板から制御部２００へと電気的に接続されるように設けられている。
【００４２】
また上側ホルダー１２０は、タッチパネル部材１１０の上側を保持しタッチパネル部材１１０の操作面を開放する開口部１２１を有するとともに、タッチパネル部材１１０の側面部分を覆う側壁部１２２が設けられており、この側壁部１２２の適宜箇所に後述する下側ホルダー１３０の一部と係合保持するための係止窓部１２３が形成されている。
【００４３】
下側ホルダー１３０は、タッチパネル部材１１０の背後に配置され、タッチパネル部材１１０の下側を保持する合成樹脂材料からなる導光部材によって形成され、下側ホルダー１３０の上面側にはタッチパネル部材１１０を載置するための凹設部１３１が設けられ、この凹設部１３１を取り巻く周壁部１３２の外周部分に上側ホルダー１２０の係止窓部１２３と係合する係合爪部１３３が設けられている。
【００４４】
また下側ホルダー１３０の底面側の中央部箇所には、押圧スイッチ１６０と対向して突出形成されたスイッチ押圧部１３４が設けられ、スイッチ押圧部１３４の周りに押圧スイッチ１６０の押し釦部分を保護するための保護壁１３５が回路基板１７０側に向けて突き出し形成されている。また下側ホルダー１３０の底面側の周縁部の適所には光源１５０と対向する位置に受光部１３６が設けられ、この受光部１３６の真上に位置した下側ホルダー１３０の上面側に下側ホルダー１３０内へと光を導き案内するための反射面１３７が形成されている。
【００４５】
ケース体１４０は、下側ホルダー１３０の背後に配置され、ケース体１４０の上面側には回路基板１７０が固定保持され、この回路基板１７０の表面側には光源１５０と押圧スイッチ１６０が実装されるように設けられている。
【００４６】
下側ホルダー１３０とケース体１４０との間において押圧スイッチ１６０と下側ホルダー１３０との間隔を所定の寸法に保つためのコイルスプリング１８１からなる弾性部材１８０と、ケース体１４０に対して下側ホルダー１３０が接近離反するためのストロークを設定するためのストローク設定部１９０とが設けられている。本実施形態においては、ストローク設定部１９０はネジによる固定部材１９１により形成され、下側ホルダー１３０の背後に設けられたネジ孔部１３８を介してストローク設定部１９０であるネジによる固定部材１９１が回し締め固定されている。
【００４７】
この際、ネジによる固定部材１９１からなるストローク設定部１９０は、ケース体１４０に設けられた挿通孔１４１を通してケース体１４０の底面側から下側ホルダー１３０の背後に向けて回し締め固定するようにしているものであり、ストローク設定部１９０であるネジによる固定部材１９１の頭部１９１ａ箇所によりケース体１４０は抜け止め保持されるとともに、このネジからなる固定部材１９１のねじ込み位置によってケース体１４０の上面側と下側ホルダー１３０の背後側との寸法間隔が設定され、これによりケース体１４０に対して下側ホルダー１３０が接近離反するためのストロークが設定されるものであり、タッチパネル部材１１０の操作面を指先にて押圧操作するに際し、下側ホルダー１３０に回し締め固定したストローク設定部１９０（ネジによる固定部材１９１）をケース体１４０に設けた挿通孔１４１に沿って案内ガイドすることができる。
【００４８】
この押圧操作時において、タッチパネル部材１１０の復帰作動をコイルスプリング１８１からなる弾性部材１８０によって所定の位置へと復帰することができるものであり、外部からの振動に対してもコイルスプリング１８１によって弾発付勢することにより所定位置を保つことが可能となる。
【００４９】
このように構成された本実施形態においては、タッチパネル部材１１０の表面カバーである第１のシート状部材１１１に指等の被検出体が触れると、その裏面側に位置する複数の電極部Ｐ１，Ｐ２からなるタッチセンサ部１１２０と被検出体との間の静電容量が変化する。制御部２００と各電極部Ｐ１，Ｐ２からなるタッチセンサ部１１２０とは電気的に接続されているので、制御部２００は、各タッチセンサ部１１２０における各電極部Ｐ１，Ｐ２の静電容量の変化を検出できる。制御部２００は、この静電容量の変化に基づいて、被検出体の接触位置を示す入力座標値（Ｘ，Ｙ）を算出する。入力座標値は、操作面上に予め設定されている、各タッチセンサ部１１２０におけるＸＹ座標系における座標値である。入力座標値は、Ｘ方向における静電容量の変化の分布の重心位置（例えば、静電容量が一定の閾値よりも高くかつ最も大きいタッチセンサ部１１２０の位置）に割り当てられているＸ座標と、Ｙ方向における静電容量の変化の分布の重心位置（例えば、静電容量が一定の閾値よりも高くかつ最も大きいタッチセンサ部１１２０の位置）に割り当てられているＹ座標と、によって表される。制御部２００は、このＸ座標及びＹ座標を算出することによって入力座標値（Ｘ，Ｙ）が算出される。
【００５０】
また、図１に示すように、制御部２００は、ＣＰＵ（Central Processing Unit）等から構成され、記憶部３００に格納されている動作プログラムを実行して、各種の処理や制御を行う。制御部２００は、その少なくとも一部が、ＡＳＩＣ（Application Specific Integrated Circuit）等の各種専用回路によって構成されている。
【００５１】
記憶部３００は、ＲＯＭ（Read Only Memory）、ＲＡＭ（Random Access Memory）、フラッシュメモリ等から構成され、制御部２００を構成するＣＰＵのワークエリア、ＣＰＵが実行する動作プログラムを記憶するプログラムエリア、データエリア等として機能する。
【００５２】
プログラムエリアには、車載電子機器制御処理を実行するためのプログラム等の動作プログラムが記憶される。
【００５３】
データエリアには、図１に示すように、ジェスチャー辞書Ｇ、対応動作データＣ、ジェスチャー特徴量の所定値である設定値Ｑ、等が予め記憶されている。
【００５４】
ジェスチャー辞書Ｇは、行われているジェスチャー操作を認識するために必要となるデータであり、ジェスチャー操作によって描かれる軌跡の特徴を示す複数のパターンを含む。ジェスチャー操作の特徴を示すパターンは、ジェスチャー特徴量の各成分の組合せから構成されている。本実施形態において、このパターンは、「隆起部を基準としたジェスチャー操作」の特徴を示すパターンである。
【００５５】
対応動作データＣは、車載電子機器２０に所定の動作を実行させる制御信号のデータである。対応動作データＣは、複数あり、その各々が、ジェスチャー辞書Ｇが含む複数のパターンと対応付けられている。例えば、隆起部１１１ｂに沿った円弧状のジェスチャー操作の特徴を示すパターンには、車載電子機器２０にオーディオ音量の変更を実行させる音量制御信号を送信するコマンドのデータが対応動作データＣとして対応付けられて予めデータエリアに記憶されている。
【００５６】
設定値Ｑは、ジェスチャー特徴量の所定値のデータであり、制御信号を車載電子機器２０へ送信するトリガーの役割となるデータである。設定値Ｑは、ジェスチャー辞書Ｇが含む複数のパターンごとに対応付けられている。つまり、設定値Ｑは複数ある。ここで、設定値Ｑとの比較対象として選択されるジェスチャー特徴量は、例えば、複数の入力座標値を、時系列順に直線で繋いだ軌跡における、軌跡の長さである。
【００５７】
制御装置１０００の動作については、ジェスチャー辞書Ｇ、対応動作データＣ、設定値Ｑ、それぞれの役割について簡潔に述べる。
１）ジェスチャー辞書Ｇは、行われているジェスチャー操作が、予め定められたどのパターンに属するか（即ち、どのような種類のジェスチャー操作であるか）を認識するために用いられる。
２）対応動作データＣは、ジェスチャー辞書Ｇを基に認識したジェスチャー操作に応じてどのような制御信号を車載電子機器２０に送信するか、を判別するために用いられる。
３）設定値Ｑは、認識されたジェスチャー操作に係るジェスチャー特徴量がどのような値に達したら、対応動作データＣに基づく制御信号を送信するか、を判別するために用いられる。
【００５８】
なお、記憶部３００に格納される各データは、既知のデータ登録手法を用いて、デフォルト値として或いはユーザ自身の操作により適宜格納される。
【００５９】
本実施形態におけるタッチパネル入力操作装置１００においては、それぞれのジェスチャー操作による制御に加え、タッチパネル入力操作装置１００のタッチパネル部材１１０の操作面を押し下げる操作を行うと、ストローク設定部１９０によりケース体１４０は抜け止め保持されるとともに、ネジからなる固定部材１９１のねじ込み位置によってケース体１４０の上面側と下側ホルダー１３０の背後側（下面側）との寸法間隔が設定され、これによりケース体１４０に対して下側ホルダー１３０が接近離反するためのストロークが設定されるものであり、タッチパネル部材１１０の操作面を指先にて押圧操作するに際し、下側ホルダー１３０に設けたストローク設定部１９０（ネジによる固定部材１９１）をケース体１４０に設けた挿通孔１４１に沿って案内ガイドすることができ、押圧操作を良好に行うことができる。
【００６０】
また図８において、指先にて押圧操作するタッチパネル部材１１０の操作面箇所がタッチパネル部材１１０の中央から逸れた左側を押圧操作した場合を示し、左側に位置した隆起部１１１ｂ箇所が押圧操作における梃子の原理で言う力点（Ｅ）に相当し、押圧スイッチ１６０を押圧操作する下側ホルダー１３０箇所が梃子で言う作用点（Ｌ）に相当し、下側ホルダー１３０の右側に位置したネジからなるストローク設定部１９０（ネジによる固定部材１９１）を支点（Ｆ）としてタッチパネル部材１１０が押圧操作される。
【００６１】
また、タッチパネル部材１１０の操作面の中央部（窪み部１１１ｃ）箇所を押圧操作するようにした場合、図９に示すように、タッチパネル部材１１０の操作面の窪み部１１１ｃ箇所が押圧操作における力点（Ｅ）となり、その押圧方向に真下に位置した押圧スイッチ１６０を押圧する下側ホルダー１３０箇所が作用点（Ｌ）となる。従って、タッチパネル部材１１０の操作面の中央部（窪み部１１１ｃ）箇所を押圧作動するようにした場合では、ケース体１４０を基準として下側ホルダー１３０がそのまま平行状態に押し下げ操作されるものであり、下側ホルダー１３０に設けられたストローク設定部１９０であるネジによる固定部材１９１がケース体１４０に対して押圧操作され、この押し下げられたネジによる固定部材１９１の軸部のストローク分によって、ケース体１４０に対してタッチパネル部材１１０と下側ホルダー１３０とが接近離反するためのストローク量が設定されるものであり、押圧スイッチ１６０が押圧動作される。
【００６２】
この押し下げ操作に伴い、押圧スイッチ１６０の押釦箇所が下側ホルダー１３０に押圧されて所定の入力信号が制御部２００へと送信され、確定される。
【００６３】
また押圧操作を開放すると、それぞれの弾性部材１８０であるコイルスプリング１８１を介して押圧していた下側ホルダー１３０が開放され、弾性部材１８０への押圧力が解き放されることにより下側ホルダー１３０が元の位置に復帰する。
【００６４】
このようにタッチパネル部材１１０に設けられた操作面の全ての領域、すなわち指先にて押圧操作するタッチパネル部材１１０に設けられた操作面の全ての箇所が押圧操作における力点（Ｅ）となり、押圧スイッチ１３２を下側ホルダー１３０を介して押圧作動することができ、これによりタッチパネル部材１１０の入力操作を良好に行うことができるものであり、操作面の押圧する位置を選ぶことなく押圧操作が可能となるものであり、押圧スイッチ１６０の作動を安定的に行うことができる。
【００６５】
従って、タッチパネル部材１１０に設けられた操作面の中央部を除く領域においては、押圧操作における梃子の原理で言う力点（Ｅ）に相当し、押圧スイッチ１６０を押圧操作する下側ホルダー１３０箇所が梃子の原理で言う作用点（Ｌ）に相当する。この際、ストローク設定部１９０は、タッチパネル部材１１０の押圧方向に移動可能であり、かつストローク設定部１９０の少なくとも１点が押圧方向に移動する時、ストローク設定部１９０の１点以外のストローク設定部１９０の少なくとも１点は、梃子の支点（Ｆ）となるように設けられているため、タッチパネル部材１１０に設けられた操作面の領域において、押圧スイッチ１６０を下側ホルダー１３０を介して押圧作動することができ、これによりタッチパネル部材１１０の入力操作を良好に行うことができるものであり、操作面の押圧する位置を選ぶことなく押圧操作が可能となるものであり、押圧スイッチ１６０の作動を安定的に行うことができる。
【００６６】
また下側ホルダー１３０の上面側には、タッチパネル部材１１０を載置するための凹設部１３１が設けられているため、タッチパネル部材１１０を簡単にセットすることができ、上側ホルダー１２０をタッチパネル部材１１０に重ね合わせるようにセットすることによって下側ホルダー１３０に設けられた係合爪部１３３と上側ホルダー１２０に設けられた係止窓部１２３とを係合することにより簡単にタッチパネル部材１１０を上下のホルダー１２０，１３０にて覆いながら組み付け保持することができる。
【００６７】
また下側ホルダー１３０を合成樹脂材料からなる導光部材によって形成することにより、光源１５０からの光を受光部１３６箇所から反射面１３７へと導き入れ、その反射面１３７を介して下側ホルダー１３０の媒質内へと導光することにより、タッチパネル部材１１０の操作面に設けられた矢印形状からなる透過意匠部Ｄ１が透過照明される。この際、下側ホルダー１３０とタッチパネル部材１１０との間に配設された拡散シート１１４によってタッチパネル部材１１０側に均等に拡散されるように導くことができるため、表示部箇所である透過意匠部Ｄ１を均一的に透過照明することができる。
【００６８】
以下、図１０から図１４を参照して、本実施形態に特有の「隆起部を基準としたジェスチャー操作」とそれに応じて車載電子機器２０が押圧スイッチ１６０の作動によって実行される動作の一例を挙げる。
【００６９】
（隆起部を基準としたジェスチャー操作の一例）
＜隆起部に沿ったジェスチャー操作ＯＰ１０＞
イグニッションのオンに伴って、動作電力が供給されると、車載電子機器２０は、表示部２１に、図１０に示す初期画面２１ａを表示する。初期画面２１ａの状態で、ユーザ（運転者）が、操作面の窪み部１１１ｃと隆起部１１１ｂとの境目に沿って時計回りになぞるジェスチャー操作ＯＰ１０を行うと、制御部２００は、ジェスチャー操作ＯＰ１０を認識して、認識したジェスチャー操作ＯＰ１０に対応付けられた音量制御信号を送信する。音量制御信号を受信した車載電子機器２０は、初期画面２１ａを音量操作画面２１ｂに切り替えるとともにジェスチャー操作ＯＰ１０に応じてオーディオ音量を変更する。このように、ユーザ（運転者）はジェスチャー操作ＯＰ１０を行って、車載電子機器２０のオーディオ音量を変更することができる。
【００７０】
この際、ステアリング１０のハンドル操作部であるグリップ箇所を握った状態でタッチパネル部材１１０の操作面を指先にて操作するに際し、指先にてタッチパネル部材１１０の操作面の感触によって識別することができ、接触操作によってタッチパネル部材１１０の入力を良好に行うことができる。
【００７１】
すなわち、本実施形態におけるタッチパネル部材１１０の操作面には、タッチセンサ部１１２０の位置を認識可能とする隆起部１１１ｂ、窪み部１１１ｃなどの立体形状部１１１Ｄ（第１の立体形状部１１１Ｄ１）が設けられているため、操作面の窪み部１１１ｃと隆起部１１１ｂとの境目に沿って時計回りになぞるジェスチャー操作ＯＰ１０を行うと、接触操作によってタッチパネル部材１１０の入力を良好に行うことができる。
【００７２】
＜外側から内側に隆起部を乗り越えるジェスチャー操作ＯＰ２０＞
図１１に示すように、初期画面２１ａの状態で、タッチパネル入力操作装置１００の操作面を、外側から順に、平面部１１１ａ、隆起部１１１ｂ、窪み部１１１ｃの順でなぞるジェスチャー操作ＯＰ２０（本例では、初期画面２１ａの“ＡＵＤＩＯ”に対応した右方向から内側に向かう操作）を行うと、初期画面２１ａはオーディオ操作画面２１ｃに切り替わる。
【００７３】
このようなジェスチャー操作ＯＰ２０においても、指先にて立体形状部の凹凸の高低差や傾斜などを、外側から順に、平面部１１１ａ、隆起部１１１ｂ、窪み部１１１ｃの順でなぞるジェスチャー操作ＯＰ２０による感触によって確認することが可能となり、これにより図１１に対応する図５の正面図に示すように、第１の立体形状部１１１Ｄ１の凹凸に沿って接触操作によってタッチパネル部材１１０の入力を良好に行うことができる。
【００７４】
この際、図１１に対応する図５において、中央になぞってきた窪み部１１１ｃ箇所にてＵＶインクｐ１による水平方向に複数個からなるライン状の微細な凸部による第２の立体形状部１１１Ｄ２の表面をラインに沿うようになぞる間隔によって、横方向の指の移動を感覚的に捉えることができるものであり、操作画面の切替動作を感触により判別することができる。
【００７５】
また中央になぞってきた窪み部１１１ｃ箇所にてタッチパネル部材１１０の操作面を押圧する操作を行うと、押圧スイッチ１６０は押圧動作され、所定の入力信号が制御部２００へと送信され、オーディオ操作画面２１ｃに確定される。
【００７６】
＜隙間部を通過するジェスチャー操作ＯＰ３０＞
図１２に示すように、オーディオ操作画面２１ｃの状態で、タッチパネル入力操作装置１００の操作面を、窪み部１１１ｃから右斜め上（本例では、オーディオ操作画面２１ｃの“Ｓｏｕｒｃｅ”に対応した右斜め上）に向けて平面部１１１ａへなぞるジェスチャー操作ＯＰ３０を行うと、オーディオ操作画面２１ｃは音源選択画面２１ｄに切り替わる。
【００７７】
この際、図１２に対応する図５において、窪み部１１１ｃの中央部から右斜め上に向けて指先をタッチパネル部材１１０の表面をなぞるように移動させると、窪み部１１１ｃの表面に設けられた複数個からなるライン状の微細な凸部による第２の立体形状部１１１Ｄ２の表面をラインを乗り越えながら斜め方向になぞっている感覚を感覚的に感じることができるため、操作画面の切替動作を感触により判別することができる。
【００７８】
＜内側から外側に隆起部を乗り越えるジェスチャー操作ＯＰ４０＞
図１３に示すように、オーディオ操作画面２１ｃの状態で、タッチパネル入力操作装置１００の操作面を、内側から順に外側に向けて水平方向に、窪み部１１１ｃ、隆起部１１１ｂ、平面部１１１ａの順でなぞるジェスチャー操作ＯＰ４０（本例では、オーディオ操作画面２１ｃの“Ｓｅａｒｃｈ”に対応した右側の隆起部１１１ｂを乗り越える操作）を行うと、オーディオ操作画面２１ｃは楽曲サーチ画面２１ｅに切り替わる。
【００７９】
このようなジェスチャー操作においては、指先の先端側にて立体形状部の凹凸の高低差や傾斜などを、内側から順に、窪み部１１１ｃ、隆起部１１１ｂ、平面部１１１ａの順で水平方向になぞるジェスチャー操作ＯＰ４０による感触によって確認することが可能となる。
【００８０】
この際、図１３に対応する図５において、その中央の窪み部１１１ｃに設けられた複数個からなるライン状の微細な凸部による第２の立体形状部１１１Ｄ２の表面をラインに沿うように水平方向になぞっている間隔を感覚的に感じることができ、次いで第１の立体形状部１１１Ｄ１の凹凸に沿うようになぞることにより操作画面の切替動作を感覚的に判別することができる。
【００８１】
その後、隆起部１１１ｂ箇所にてタッチパネル部材１１０の操作面を押圧する操作を行うと、スイッチ機構１３０の押圧スイッチ１６０が押圧動作されることによって、所定の入力信号が制御部２００へと送信され、楽曲サーチ画面２１ｅに確定される。
【００８２】
＜窪み部内でのジェスチャー操作ＯＰ５０＞
図１４に示すように、楽曲サーチ画面２１ｅの状態において、窪み部１１１ｃから隆起部１１１ｂに向かって小さくスライドさせるジェスチャー操作ＯＰ５０を行うと、所定のカーソルがそのスライド方向に対応して動き、所望の楽曲を選択表示することができる。
【００８３】
この際、窪み部１１１ｃから隆起部１１１ｂに向かって小さくスライドさせるジェスチャー操作ＯＰ５０であったとしても、中央の窪み部１１１ｃに設けられた複数個からなるライン状の微細な凸部による第２の立体形状部１１１Ｄ２の表面をラインを乗り越えながらそのラインとほぼ直交する方向になぞっている間隔を感覚的に感じることができ、操作画面の切替動作を感触によって判別することができる。
【００８４】
また前述したように、この選択表示された楽曲は、押圧スイッチ１６０の押圧動作による入力確定操作により、再生される。
【００８５】
押圧スイッチ１６０の押圧操作は、入力操作装置１００の操作面に対するジェスチャー操作による制御とは異なる制御を実行させる際になされるものであり、前述したＯＰ２０、ＯＰ３０，ＯＰ４０なども同様にして、タッチパネル部材１１０の操作面を押圧する操作を行うと、押圧スイッチ１６０の押圧動作によって、所定の入力信号が制御部２００へと送信され、確定される。
【００８６】
以上詳述したように本実施形態においては、入力操作を行う被検出体が接触する操作面を有し、その操作面と接触した位置を検出するための静電容量方式による複数の電極部Ｐ１，Ｐ２を配置してなるタッチパネル部材１１０と、タッチパネル部材１１０の操作面には、操作指標となる意匠部Ｄ１と、意匠部Ｄ１の領域を除く地色部からなる他の意匠部Ｄ２とが設けられるとともに、凹凸部による立体形状部１１１Ｄとを有してなるタッチパネル入力操作装置において、操作面の表面側に形成される立体形状部１１１Ｄは、タッチパネル部材１１０の成形時における絞り加工によって形成された第１の立体形状部１１１Ｄ１と、タッチパネル部材１１０の表面に印刷による手段によって形成されたＵＶインクｐ１からなる第２の立体形状部１１１Ｄ２と、からなることを特徴とするタッチパネル入力操作装置であるため、成形によって形成された比較的に段差の奥行きがある第１の立体形状部１１１Ｄ１によりパネル１１０全体の接触領域を判別することができるとともに、タッチパネル部材１１０の表面に形成された比較的に微細な凸部からなるＵＶインクｐ１による第２の立体形状部１１１Ｄ２によって第１の立体形状部１１１Ｄによる感触とは異なることでユーザが自らどのように操作面の表面をなぞっているかを識別することができる。また、タッチパネル部材１１０に設けられた操作指標となる意匠部Ｄ１の表示部箇所を目視で認識することができるため、接触操作とともにタッチパネル部材１１０の入力を良好に行うことができる。
【００８７】
また第１の立体形状部１１１Ｄ１および第２の立体形状部１１１Ｄ２の表面には、操作指標となる意匠部Ｄ１による塗膜層あるいはその意匠部Ｄ１の領域を除く地色部からなる他の意匠部Ｄ２による塗膜層を積層して設けてなることにより、立体形状部１１１Ｄの表面を含むタッチパネル部材１１０全体の表面の段差を感覚的に捉えることができるとともに、各塗膜層による種類などに応じて表面の粗さ度合いが異なるため、ユーザの指先による接触操作にて感触の違いを判別することが可能となるため、タッチ操作を正確に行いやすくすることが可能となる。
【００８８】
また、タッチパネル部材１１０に設けられる電極部Ｐ１，Ｐ２を透過性の材料により形成し、タッチパネル部材１１０の背後に導光部材１３０を配置するとともに、導光部材に光を導き入れる光源１５０とを備え、タッチパネル部材１１０の操作面には、操作指標となる透過性の意匠部Ｄ１と、その意匠部Ｄ１の領域を除く領域に不透過性の地色部からなる他の意匠部Ｄ２とを設けることにより、タッチパネル部材１１０に設けられた操作指標となる意匠部Ｄ１の表示部箇所を目視で認識することができるため、接触操作とともにタッチパネル部材１１０の入力を良好に行うことができるものであり、この際、透過性の意匠部Ｄ１として形成することにより、夜間などの暗所下において、意匠部Ｄ１が光源１５０からの光線によって透過照明されるため、瞬時に意匠部Ｄ１箇所を認識判別することができる。
【００８９】
また、第１の立体形状部１１１Ｄ１および第２の立体形状部１１１Ｄ２の表面には、意匠部Ｄ１による塗膜層あるいは地色部からなる他の意匠部Ｄ２による塗膜層を積層して設けてなることにより、立体形状部１１１Ｄの表面を含むタッチパネル部材１１０全体の表面の段差を感覚的に捉えることができるとともに、各塗膜層による種類などに応じて表面の粗さ度合いが異なるため、ユーザの指先による接触操作にて感触の違いを判別することが可能となるため、タッチ操作を正確に行いやすくすることが可能となる。
【００９０】
また、第２の立体形状部１１１Ｄ２は、単一もしくは複数のラインからなるＵＶインクｐ１にて突出して形成されているため、ラインの形状になぞった場合と、またぐようになぞった場合とで明確に感触を変えることができる。
【００９１】
なお、本発明は、前述した実施形態に限定されるものではなく本発明の要旨の範囲内において種々の変形実施が可能である。たとえば前述した実施形態にあっては、第２の立体形状部１１１Ｄ２は、単一もしくは複数のラインからなるＵＶインクｐ１にて水平方向に突出するように設けていたが、立て列方向に沿って複数のラインによるＵＶインクｐ１によって形成しても同様の効果を得ることができるとともに、ステアリングホイールの左右にそれぞれ入力操作装置１００を備えるものであった場合、ステアリングホイールを握りしめた状態にて親指の動きに合わせて複数のラインからなるＵＶインクｐ１を大きな円弧状の形状からなる第２の立体形状部１１１Ｄ２として形成するようにしても良い。
【００９２】
また本実施形態においては、タッチパネル部材１１０の背後に配置する透過意匠部Ｄ１を透過照明するための透光性を有する導光部材を兼ねた下側ホルダー１３０を無色透明の合成樹脂にて形成していたが、場合によっては、照明色としてオレンジ色などに着色形成して透過意匠部Ｄ１を透過照明するようにしても良いし、他の色合いに着色形成して透過照明するようにしても良い。
【００９３】
また、第１のシート状部材１１１の操作面の表面側に塗装などの手段によって意匠部Ｄを施していたが、第１のシート状部材１１１の操作面の表面側に印刷などの手段によって意匠部Ｄを形成しても良いものであり、またシート状部材１１１の裏面に印刷や塗装などによって施すようにしても良いものであり、その意匠部Ｄの透過意匠部Ｄ１の表示形態についても矢印形状に限らず、円弧状の透過意匠部Ｄ１など任意の形態に形成しても良いものであり、透過光量などの照明輝度も任意に設定すれば良い。
【００９４】
また前述した実施形態にあっては、押圧スイッチ１６０と下側ホルダー１３０との間隔を所定の位置に保つための弾性部材１８０としてコイルスプリング１８１を用いていたが、たとえばケース体１４０から一体に弾性腕片を設け、この弾性腕片によって押圧スイッチ１６０と下側ホルダー１３０との間隔を所定の位置に保つように形成しても良いし、合成ゴムなどの弾性部材を配設するようにしても良い。
【００９５】
また前述した実施形態にあっては、ストローク設定部１９０はネジからなる固定部材１９１により形成していたが、ケース体１４０あるいは下側ホルダー１３０から一体に軸部を設け、この軸部に設けた段付部にてストローク量を設定するようにしても良い。
【産業上の利用可能性】
【００９６】
本発明においては、入力操作装置１００を搭載した乗り物の一例として自動車などの車両を例にしてタッチパネル入力操作装置を説明したが、これに限られるものでなく船舶あるいは農業機械などに搭載することも可能であり、特に透過照明可能なタッチパネル入力操作装置に好適である。
【符号の説明】
【００９７】
１…車両
１０…ステアリング
１１…本体部
１２…ステアリングホイール
２０…車載電子機器
２１…表示部
１００…入力操作装置
１１０…タッチパネル部材
１１１…第１のシート状部材（表面カバー）
１１１ａ…平面部
１１１ｂ…隆起部
１１１ｃ…窪み部
１１１Ｄ…立体形状部
１１１Ｄ１…第１の立体形状部
１１１Ｄ２…第２の立体形状部
１１２…第２のシート状部材
１１２０…タッチセンサ部
１１２０ａ…第１のセンサ列
１１２０ｂ…第２のセンサ列
１１３…スペーサ
１１４…拡散シート
１２０…上側ホルダー
１２１…開口部
１２２…側壁部
１２３…係止窓部
１３０…下側ホルダー（導光部材）
１３１…凹設部
１３２…周壁部
１３３…係合爪部
１３４…スイッチ押圧部
１３５…保護壁
１３６…受光部
１３７…反射面
１３８…ネジ孔部
１４０…ケース体
１４１…挿通孔
１５０…光源（ＬＥＤ）
１６０…押圧スイッチ
１７０…回路基板
１８０…弾性部材
１８１…コイルスプリング
１９０…ストローク設定部
１９１…ネジによる固定部材
１９１ａ…頭部
２００…制御部
３００…記憶部
１０００…制御装置
Ｄ…意匠部
Ｄ１…透過意匠部
Ｄ２…不透過意匠部
Ｐ１…電極部（透過性の電極部）
Ｐ２…電極部（透過性の電極部）
ｐ１…ＵＶインク
ｐ２…透過性を有するインク
ｐ３…遮光性のインク
Ｔａ，Ｔｂ…端止部
ｗ１，ｗ２…引き出し線
【図１】
2014229014.tif 000003
【図２】
2014229014.tif 000004
【図３】
2014229014.tif 000005
【図４】
2014229014.tif 000006
【図５】
2014229014.tif 000007
【図６】
2014229014.tif 000008
【図７】
2014229014.tif 000009
【図８】
2014229014.tif 000010
【図９】
2014229014.tif 000011
【図１０】
2014229014.tif 000012
【図１１】
2014229014.tif 000013
【図１２】
2014229014.tif 000014
【図１３】
2014229014.tif 000015
【図１４】
2014229014.tif 000016